(57)【要約】【課題】  撮影画像をデジタルズームした拡大再生画像をデジタルカメラ背面の表示画面に移動させて表示するときの画像移動量をデジタルカメラの移動操作量に合わせ、移動操作感覚に一致した画像移動量とする。【解決手段】  撮影した画像データの再生画像をデジタルズームして拡大再生画像を生成し該拡大再生画像中の表示領域内の画像を表示装置の画面に表示するデジタルカメラにおいて、操作移動量Ｄをセンサで検出し、撮影を行ったときのレンズ倍率データＡを求め、デジタルズームのズーム倍率Ｂとレンズ倍率データＡとから再生時ズーム倍率Ｃ（＝Ａ＋Ｂ）を求め、該再生時ズーム倍率Ｃとセンサにより検出された操作移動量Ｄとから前記表示領域の移動量Ｅを求め該移動量Ｅで移動した表示領域内の拡大再生画像を画面に表示する。これにより、再生時ズーム倍率Ｃが大きい程、移動量Ｅは大きくなる。【選択図】  図４
2005080086.tif 000002
【特許請求の範囲】
【請求項１】
撮影した画像データの再生画像をデジタルズームして拡大再生画像を生成し該拡大再生画像中の表示領域内の画像を表示装置の画面に表示する撮影画像表示装置において、移動操作量を検出するセンサと、前記撮影を行ったときのレンズ倍率データを求める手段と、前記デジタルズームのズーム倍率と前記レンズ倍率データとから再生時ズーム倍率を求める手段と、該再生時ズーム倍率と前記センサにより検出された前記移動操作量とから前記表示領域の移動量を求め該移動量で移動した前記表示領域の前記拡大再生画像を前記表示装置に表示する手段とを備えることを特徴とする撮影画像表示装置。
【請求項２】
ズームレンズと、該ズームレンズを通して結像した光学像を電気信号に変換する固体撮像素子と、該固体撮像素子から出力される撮影画像データを信号処理する信号処理手段と、該信号処理手段により信号処理された前記撮影画像データを記録メディアに記録する画像記録手段と、前記記録メディアに記録された前記撮影画像データを読み出して再生画像を生成しデジタルズームした拡大再生画像中の表示領域内の画像を表示する表示手段とを備えるデジタルカメラにおいて、カメラ回転方向及び回転移動量を検出するセンサと、前記撮影画像データを前記記録メディアに記録するとき該撮影画像データを撮影したときの前記ズームレンズの倍率を該撮影画像データに関連付けて前記記録メディアに記録する手段と、前記デジタルズームした前記拡大再生画像を前記表示手段の画面に表示するとき前記デジタルズームの倍率と前記ズームレンズの倍率とから再生時ズーム倍率を求める手段と、前記センサにより検出された前記カメラ回転方向及び回転移動量と前記再生時ズーム倍率とから前記表示領域の移動方向及び移動量を求める手段と、該移動方向及び移動量で移動した前記表示領域の前記拡大再生画像を前記表示手段の画面に表示させる表示領域移動手段とを備えることを特徴とするデジタルカメラ。
【発明の詳細な説明】
【技術分野】
【０００１】
本発明は、撮影画像の再生画像をデジタルズームして表示する撮影画像表示装置に係り、特に、デジタルズームした再生画像を画面上で移動させるときの移動操作の操作感覚に優れた撮影画像表示装置とこの撮影画像表示装置を搭載したデジタルカメラに関する。
【背景技術】
【０００２】
デジタルスチルカメラやデジタルビデオカメラ等のデジタルカメラには、撮影した画像をその場で再生表示させることができるように液晶装置等の表示装置がカメラ背面等に搭載されている。
【０００３】
この表示装置はカメラに搭載する関係で小型なものが多く、このため、撮影画像中の小さな被写体を確認したい場合には、デジタルズーム機能でその被写体を拡大表示することになる。そして、画面から外れている部分の拡大画像を確認したい場合には、従来はカメラに設けられている画像スクロール用の操作キーを何回も押して画像を移動させることになるが、この画像移動の操作は面倒である。
【０００４】
そこで、例えば、下記特許文献１に記載されている画像移動技術をデジタルカメラに適用すると便利である。この特許文献１では、ＰＤＡ（パーソナルデジタルアシスタント）の画面に地図を表示させた状態でＰＤＡを回転移動させると、この回転移動をジャイロセンサで検知して画面上の地図を上下左右方向に自動的に移動させるというものである。
【０００５】
【特許文献１】特開平１０―４９２９０号公報
【発明の開示】
【発明が解決しようとする課題】
【０００６】
上記の画像移動技術をデジタルカメラに適用すると、デジタルズームした拡大再生画像のうち見たい被写体部分の方向に「カメラを向ける」という操作だけで、その被写体の拡大再生画像が表示装置の画面内に移動してくるため、デジタルカメラの使い勝手が向上する。
【０００７】
しかし、特許文献１記載の従来技術はデジタルカメラによる撮影画像を画像移動の対象としていないため、この従来技術をデジタルカメラによって撮影された画像の再生技術に単に適用しても、操作感覚にズレが生じることがあるという問題がある。
【０００８】
即ち、目標とする被写体方向にカメラを向けたのに、その被写体の拡大再生画像が画面に表示されないという問題が生じる。これは、デジタルカメラによる撮影画像が光学レンズの様々なズーム倍率の基で撮影されているためであり、この光学レンズのズーム倍率を考慮せずに拡大再生画像の移動量を決めると、カメラを被写体方向に向けるという操作の操作感覚に合わない拡大再生画像が表示装置の画面に表示されてしまうからである。
【０００９】
本発明の目的は、撮影画像をデジタルズームした拡大再生画像を移動させて表示装置の画面に表示するときの画像移動量を移動操作量に合わせることができる撮影画像表示装置及びデジタルカメラを提供することにある。
【課題を解決するための手段】
【００１０】
本発明の撮影画像表示装置は、撮影した画像データの再生画像をデジタルズームして拡大再生画像を生成し該拡大再生画像中の表示領域内の画像を表示装置の画面に表示する撮影画像表示装置において、移動操作量を検出するセンサと、前記撮影を行ったときのレンズ倍率データを求める手段と、前記デジタルズームのズーム倍率と前記レンズ倍率データとから再生時ズーム倍率を求める手段と、該再生時ズーム倍率と前記センサにより検出された前記移動操作量とから前記表示領域の移動量を求め該移動量で移動した前記表示領域の前記拡大再生画像を前記表示装置に表示する手段とを備えることを特徴とする。
【００１１】
この構成により、撮影画像をデジタルズームした拡大再生画像を画面上で移動させて表示するときの画像移動量が、センサの感知した移動操作量に一致し、センサが取り付けられた操作部の操作感覚に合った移動量となる。
【００１２】
本発明のデジタルカメラは、ズームレンズと、該ズームレンズを通して結像した光学像を電気信号に変換する固体撮像素子と、該固体撮像素子から出力される撮影画像データを信号処理する信号処理手段と、該信号処理手段により信号処理された前記撮影画像データを記録メディアに記録する画像記録手段と、前記記録メディアに記録された前記撮影画像データを読み出して再生画像を生成しデジタルズームした拡大再生画像中の表示領域内の画像を表示する表示手段とを備えるデジタルカメラにおいて、カメラ回転方向及び回転移動量を検出するセンサと、前記撮影画像データを前記記録メディアに記録するとき該撮影画像データを撮影したときの前記ズームレンズの倍率を該撮影画像データに関連付けて前記記録メディアに記録する手段と、前記デジタルズームした前記拡大再生画像を前記表示手段の画面に表示するとき前記デジタルズームの倍率と前記ズームレンズの倍率とから再生時ズーム倍率を求める手段と、前記センサにより検出された前記カメラ回転方向及び回転移動量と前記再生時ズーム倍率とから前記表示領域の移動方向及び移動量を求める手段と、該移動方向及び移動量で移動した前記表示領域の前記拡大再生画像を前記表示手段の画面に表示させる表示領域移動手段とを備えることを特徴とする。
【００１３】
この構成により、撮影画像をデジタルズームした拡大再生画像を画面上で移動させて表示するときの画像移動量が、センサの感知したデジタルカメラの移動操作量に一致し、デジタルカメラを移動操作するユーザの操作感覚に合った移動量となる。
【発明の効果】
【００１４】
本発明によれば、光学ズーム倍率が何倍であっても、拡大再生画像の画像移動量を移動操作量に合わせることができ、実際の移動操作感覚に合わせた画像移動が可能となる。
【発明を実施するための最良の形態】
【００１５】
以下、本発明の一実施形態について、図面を参照して説明する。
【００１６】
図１は、本発明の一実施形態に係るデジタルカメラのブロック構成図である。尚、本実施形態のデジタルカメラはデジタルスチルカメラであるが、本発明はデジタルビデオカメラや携帯電話機搭載のデジタルカメラにも適用可能である。
【００１７】
このデジタルカメラは、被写体の光学像を結像させるズームレンズ１と、ズームレンズ１の背部に設けられ被写体の光学像を電気信号に変換する固体撮像素子２と、カメラの回転方向及び回転量を検出する加速度センサ３とを備える。固体撮像素子２として、本実施形態ではＣＣＤを使用するが、ＣＭＯＳイメージセンサ等の他の種類の固体撮像素子でもよい。
【００１８】
デジタルカメラは更に、ＣＣＤ２から出力される画像信号を処理する公知の信号処理部４と、カメラ背面等に搭載されスルー画像や撮影済み画像を表示する表示部（この例では液晶表示部ＬＣＤ）５と、主メモリ６と、デジタルカメラを統括制御するＣＰＵ７と、撮像された静止画像や動画像を外部記録メディアに記録する画像記録装置８と、これらを相互に接続するバス９とを備える。
【００１９】
更に本実施形態のデジタルカメラは、信号処理部４と表示部５との間に表示領域移動速度設定装置１０を備える。この表示領域移動速度設定装置１０は、加速度センサ３の検出信号と、ズームレンズ１から信号処理部４を介して受け取ったズーム倍率データとに基づいて拡大再生画像の移動量を後述するようにして算出する。
【００２０】
この表示領域移動速度設定装置１０は、信号処理部４と同様にデジタルシグナルプロセッサ（ＤＳＰ）にて実現されるが、ＣＰＵ７上で動作するアプリケーションソフトにて実現することでもよい。
【００２１】
図２は、上述した構成のデジタルカメラを用いて被写体画像を撮影するときの処理手順を示すフローチャートである。
【００２２】
デジタルカメラが撮影モードに入ると、ＣＰＵ７は、図示しない撮影ボタン（シャッタボタン）が押されたか否かを判定し（ステップＳ１）、撮影ボタンが押されるのを待機する。撮影ボタンが押された場合には次のステップＳ２に進み、信号処理部４は、ＣＰＵ７からの指示を受けて、その撮影時のズームレンズ１のズーム倍率データを読み出す。
【００２３】
そして、次のステップＳ３では、ＣＣＤ２から読み出された撮影画像データを信号処理部４が信号処理して画像記録装置８に出力し、図示しない外部記録メディアに撮影画像データを記録させると共に、ズームレンズのズーム倍率データをこの撮影画像データの付加情報として記録させ、ステップＳ１に戻って次の撮影に備える。
【００２４】
図３は、図２の処理手順によって記録された撮影画像データを読み出し表示部５に再生表示させるときの表示領域移動速度設定装置１０の処理手順を示すフローチャートである。
【００２５】
デジタルカメラが再生モードに入ると、再生対象の撮影画像データを画像記録装置８を介して外部記録メディアから読み出すと共にこの撮影画像データに付加情報として付けられているズーム倍率データを読み出し（ステップＳ１１）、撮影画像データから再生画像を生成する。
【００２６】
次のステップＳ１２では、デジタルズームのズームボタンが押されているか否かを判定する。ズームボタンが押され、それが拡大ズーム指示の場合にはステップＳ１３に進み、再生画像の拡大処理を行ってからステップＳ１５に進む。ズームボタンが押され、それが縮小ズーム指示の場合にはステップＳ１２からステップＳ１４に進み、再生画像の縮小処理を行ってからステップＳ１５に進む。ズームボタンが押されていない場合にはステップＳ１２からそのままステップＳ１５に進む。
【００２７】
ステップＳ１５では、デジタルカメラ（撮影装置）が回転したか否かを加速度センサ３の検出信号により判定する。デジタルカメラが回転していない場合には、ステップＳ１６に進み、再生画像をそのまま、あるいは再生画像の拡大処理画像を、あるいは再生画像の縮小処理画像を、表示部５に表示し、ステップＳ１２に戻る。
【００２８】
デジタルカメラが回転していると判定した場合にはステップＳ１５からステップＳ１７に進み、先ず、加速度センサ３の検出信号からデジタルカメラの回転角度（回転方向及び回転移動量）を算出する。
【００２９】
そして次に、撮影時のレンズズーム倍率データとデジタルズームのズーム倍率とから再生時のズーム倍率を求め（ステップＳ１８）、ステップＳ１７で求めたデジタルカメラの回転角とステップＳ１８で求めた再生時のズーム倍率とから拡大再生画像中の表示領域（表示部５の画面に表示する領域）の移動量を決定し（ステップＳ１９）、ステップＳ１６に進んで再生画像中の表示領域をステップＳ１９で決定した移動量だけ移動させて表示部５に表示する。
【００３０】
ステップＳ１２→…→ステップＳ１７，Ｓ１８，Ｓ１９→ステップＳ１６→ステップＳ１２→…は、数十ミリ秒毎に繰り返し実行されるため、表示部５の画面上を移動する拡大再生画像の移動速度は、移動量に応じた速度となり、再生時ズーム倍率が大きいときには速く移動し、小さいときにはゆっくり移動することになる。
【００３１】
図４は、図３のステップＳ１７，Ｓ１８，Ｓ１９の処理による画像移動量算出の概要説明図である。図４（ａ）に示す様に、撮影時のレンズズーム倍率Ａが大きく、また、再生時のデジタルズーム倍率Ｂが大きい場合には、再生時のズーム倍率Ｃは倍率Ａ＋倍率Ｂとなるため大きな倍率となる。
【００３２】
そこで本実施形態では、デジタルカメラ２０を少しの回転量Ｄだけ回転させただけでも、拡大再生画像の表示領域を大きな移動量Ｅだけ移動させて表示部５に表示させる。これにより、画像移動のために実際にカメラ２０を移動操作した感覚に一致した距離だけ画面上で拡大再生画像が速く動くことになる。
【００３３】
これに対し、図４（ｂ）に示す様に、撮影時のレンズズーム倍率Ａ’が小さく、またデジタルズーム倍率Ｂ’も小さい場合には、再生時のズーム倍率Ｃ’も小さくなる。この場合には、図４（ａ）と同じ回転量Ｄだけデジタルカメラ２０を回転させても、拡大再生画像の表示領域の移動量Ｅ’は小さくなる。これにより、カメラを移動操作したときに図４（ａ）と比較して拡大再生画像はゆっくりと短い距離だけ移動することになる。
【００３４】
この様に、本実施形態では、拡大再生画像の表示領域の移動量Ｅを、カメラ２０の回転角Ｄと、撮影時のレンズズーム倍率Ａに再生時のデジタルズーム倍率Ｂを加算して求めた再生時のズーム倍率Ｃとから決定するため、デジタルカメラを手に持って移動操作するユーザの移動操作感覚に一致した画像移動を行うことが可能となる。
【００３５】
尚、本実施形態の撮影画像表示装置は、デジタルカメラに搭載した表示部に撮影画像の再生画像を表示する例として述べたが、本発明の撮影画像表示装置はこの例に限るものではなく、例えば、ウェアラブルＰＣ等で用いるヘッドマウント形式のメガネ型ディスプレイ装置で撮影画像の再生画像やその拡大再生画像を見る表示装置にも適用可能である。この場合、操作移動量は、メガネ型ディスプレイ装置に取り付けた加速度センサ等で検出する。
【産業上の利用可能性】
【００３６】
本発明に係る撮影画像表示装置は拡大再生画像を表示するときその表示領域を移動操作量に対応付けて移動させることができるため、画像移動量が操作感覚に一致し、デジタルカメラ等に搭載する撮影画像表示装置として、あるいはウェアラブルＰＣで用いるディスプレイ装置として有用である。
【図面の簡単な説明】
【００３７】
【図１】本発明の一実施形態に係るデジタルカメラのブロック構成図である。
【図２】図１に示すデジタルカメラで被写体を撮影するときの処理手順を示すフローチャートである。
【図３】図１に示すデジタルカメラで撮影画像の再生画像を表示部に表示するときの処理手順を示すフローチャートである。
【図４】図１のデジタルカメラで拡大再生画像の表示領域を移動させるときの移動量算出の概要説明図である。
【符号の説明】
【００３８】
１  ズームレンズ
２  固体撮像素子
３  加速度センサ
４  信号処理部
５  表示部（ＬＣＤ）
７  ＣＰＵ
８  画像記録装置
１０  表示領域移動速度設定装置
２０  デジタルカメラ
Ａ  レンズズーム倍率
Ｂ  デジタルズーム倍率
Ｃ  再生時のズーム倍率
Ｄ  移動操作量
Ｅ  拡大再生画像の表示領域の移動量
【図１】
2005080086.tif 000003
【図２】
2005080086.tif 000004
【図３】
2005080086.tif 000005
【図４】
2005080086.tif 000006